(57)【要約】【課題】盗難防止性能を十分に確保しつつ、各種寸法の商品を収納可能で、しかも商品の外観が低下したり、印刷面が見難くなったりすることを防止できるとともに、商品の中抜きを効果的に防止可能な盗難防止展示ケースを提供する。【解決手段】ケース本体１０と、少なくとも後部がケース本体１０に内嵌可能な蓋ケース２０と、ケース本体１０に対する蓋ケース２０の取り外し方向への移動を係止する係止部１２、２２と、ケース本体１０の内側へ出没可能な係止片３１を有するケース本体１０の右側部に設けたロック手段３０と、係止片３１に係合して、ケース本体１０に対する蓋ケース２０の取り外し方向への移動を規制する、蓋ケース２０の右側部に設けたスリットからなる係合部２３とを備え、蓋ケース２０として、深さの異なる複数種類の蓋ケースを設け、収納する商品の寸法に応じて蓋ケースを取替可能となした。【選択図】図１
2011218079.tif 000002
【特許請求の範囲】
【請求項１】
前面側に開口部を有する硬質合成樹脂製のケース本体と、後面側に開口部を有し、少なくとも後部がケース本体に内嵌可能な硬質合成樹脂製の蓋ケースと、前記ケース本体に対する蓋ケースの取り外し方向への移動を係止する、前記ケース本体と蓋ケースの第１側部に形成した係止部と、前記ケース本体の内側へ出没可能な係止片を有するケース本体の第２側部に設けたロック手段と、前記係止片に係合して、前記ケース本体に対する蓋ケースの取り外し方向への移動を規制する、前記蓋ケースの第２側部に設けた係合部とを備え、
前記蓋ケースとして、深さの異なる複数種類の蓋ケースを設け、収納する商品の寸法に応じて蓋ケースを取替可能となした、
ことを特徴とする盗難防止展示ケース。
【請求項２】
前記蓋ケース及びケース本体を透明な合成樹脂材料で構成した請求項１記載の盗難防止展示ケース。
【請求項３】
前記ケース本体に盗難防止タグを内装した請求項１又は２記載の盗難防止展示ケース。
【請求項４】
前記盗難防止展示ケースに商品を収容した状態で、その重心位置に対応するケース本体又は蓋ケースの上面に、吊下げ用の引っ掛け具を着脱自在に取付可能となした請求項１〜３のいずれか１項記載の盗難防止展示ケース。
【請求項５】
前記蓋ケースの第２側部に自立設置用の脚部を形成した請求項１〜４のいずれか１項記載の盗難防止展示ケース。
【請求項６】
前記蓋ケースを相互に嵌合させてスタッキング可能に構成した請求項１〜５のいずれか１項記載の盗難防止展示ケース。
【発明の詳細な説明】
【技術分野】
【０００１】
本発明は、各種商品の販売店やレンタル店からの商品の不正な持ち出しを防止し得る盗難防止展示ケースに関する。
【背景技術】
【０００２】
従来、ＣＤやＤＶＤ、ゲームソフト等の販売店やレンタル店等における記録媒体商品の盗難防止システムとして、施錠可能な展示用の透明な盗難防止展示ケース内に記録媒体商品を収納するとともに、盗難防止展示ケース内に盗難防止タグを設け、店の商品を外部へ持ち出そうとすると、店の出入口に設置した検知器により盗難防止タグが検知されて、店外への商品の不正な持ち出しを店員に通報するように構成した盗難防止システムが提案され、実用化されている。
【０００３】
また、前記盗難防止展示ケースとしては、商品の出し入れ用の開口部を前面側に設けた透明なケース本体と、ケース本体の縁部から開口側に出没して記録媒体商品を取り出し不能に係止する係止片を有するロック手段とを備え、盗難防止展示ケース内に収納した商品を該ケースから容易に取り出すことができないように構成したものが種々提案されている（例えば、特許文献１〜３参照。）。
【０００４】
ところで、前述のようなＣＤやＤＶＤ、ゲームソフト等の記録媒体商品は比較的薄肉で、しかも平面寸法も規格化されていることから、共通の盗難防止展示ケースを用いて展示できるが、それ以外の商品、例えばＵＳＢメモリやＳＤメモリ、二次電池やプリンタインクなどの小型電子部品、デジタルカメラやヘッドフォンなどの小型電子機器、化粧品や医薬品などの商品は、形状や大きさが多様であることから、該商品のパッケージに直接ラベル状のセンサータグを貼り付けるか、該商品のパッケージに透明なフィルムを巻き付けて（取り外すとタグ自体が発報する）自鳴式盗難防止タグを容易に取り外すことができないように固定し、盗難を防止している。
【先行技術文献】
【特許文献】
【０００５】
【特許文献１】特開２００１−２５３４８７号公報
【特許文献２】特開２００１−１９０７７号公報
【特許文献３】特開２００７−３１４２０１号公報
【発明の概要】
【発明が解決しようとする課題】
【０００６】
ところが前述のように、該商品のパッケージに直接ラベル状のセンサータグを貼り付ける場合には、商品の外観が低下するとともに商品の印刷が見難くなったり、隠れてしまったりして利用者の購買意欲を引き出すという、外箱や外袋の印刷部分の機能を損なうという問題があった。そして防犯上の観点からはセンサータグを剥がされたり、カッターで切られて無効化されたり、商品パッケージがこじ開けられたり、切られたりして、中身の商品だけが抜き取り盗難される所謂「中抜き」の問題があった。
また、透明なフィルムなどを商品の外箱や外袋に巻き付けて自鳴式盗難防止タグを固定する場合には、巻き付けたフィルムや盗難防止タグにより、商品の外観が低下するとともに、商品の外箱や外袋の印刷が見難くなったり、隠れてしまったりして、利用者の購買意欲を引き出すという、外箱や外袋の印刷部分の機能を損なうという問題があった。そして防犯上の観点からは、商品パッケージがこじ開けられたり、切られたりして、中身の商品だけが抜き取り盗難される所謂「中抜き」の問題があった。また、フィルムの取り付け作業と自鳴式盗難防止タグのセット作業及びフィルムの取り外しの作業と自鳴式盗難防止タグのリセットの作業が煩雑で、その作業が店員の負担になっていた。
【０００７】
本発明の目的は、盗難防止性能を十分に確保しつつ、各種寸法の商品を収納可能で、しかも商品の外観が低下したり、印刷面が見難くなったりすることや、商品パッケージがこじ開けられたり、切られたりして、商品そのものが中抜きされたりすることを効果的に防止可能な盗難防止展示ケースを提供することである。
【課題を解決するための手段】
【０００８】
本発明に係る盗難防止展示ケースは、前面側に開口部を有する硬質合成樹脂製のケース本体と、後面側に開口部を有し、少なくとも後部がケース本体に内嵌可能な硬質合成樹脂製の蓋ケースと、前記ケース本体に対する蓋ケースの取り外し方向への移動を係止する、前記ケース本体と蓋ケースの第１側部に形成した係止部と、前記ケース本体の内側へ出没可能な係止片を有するケース本体の第２側部に設けたロック手段と、前記係止片に係合して、前記ケース本体に対する蓋ケースの取り外し方向への移動を規制する、前記蓋ケースの第２側部に設けた係合部とを備え、前記蓋ケースとして、深さの異なる複数種類の蓋ケースを設け、収納する商品の寸法に応じて蓋ケースを取替可能となしたものである。
【０００９】
この盗難防止展示ケースでは、収納する商品の寸法に応じた深さの蓋ケースを用いることで、各種寸法の商品を盗難防止展示ケース内に収納して展示することができる。また盗難防止タグを盗難防止展示ケースに内装して、商品に付随させることができるので、商品にフィルムを巻き付けて自鳴式盗難防止タグを固定する場合と比較して、商品の盗難を効果的に防止しつつ、商品の外観を低下させることなく展示することができ、しかも商品の外箱や外袋の印刷面が見難くなったりすることも確実に防止できる。また、ロック手段を備えた高価なケース本体を共用し、安価に製作可能な蓋ケースを複数種類用意するので、盗難防止展示ケースの製作コストを抑えつつ各種寸法の商品を収納することができる。更に、ケース本体及び蓋ケースが硬質合成樹脂で構成され、カッターナイフ等で容易に切り裂くことができないので、商品パッケージがこじ開けられたり、切られたりして、商品そのものが中抜きされるという不具合も効果的に防止できる。更にまた、余程悪質な場合以外は、商品の盗難を効果的に防止できるので、現物を盗難防止展示ケースに収納して展示することが可能となり、商品の箱だけを展示したり、商品の引き換え券のみを展示したりする場合と比較して、利用者にとっては、商品を手にとって十分に観察、確認することが可能となり、また店員にとっても、商品の販売時に、別置きしている商品を倉庫等に取りに行く手間が省けるので、効率的である。更にまた、ＣＤやＤＶＤなどの盗難防止展示ケースと同様のロック手段を採用でき、ケース内の商品をお客さんに渡すときには、専用解除器等を用いて簡単にロックを解除できるので、フィルム等を引き剥がして盗難防止タグを取り除く場合と比較して、店員の負担を大幅に軽減できる。
【００１０】
前記蓋ケース及びケース本体を透明な合成樹脂材料で構成することができる。蓋ケース及びケース本体は、収納した商品を目視、観察できるよう、少なくとも一部を透明に構成することになるが、蓋ケース及びケース本体を透明な合成樹脂材料で構成して、ケースに内装した商品の略全体を目視、観察できるように構成することが好ましい。また、ケース本体は共用するので、強度剛性や耐損傷性に優れた素材を用い、蓋ケースのみを透明に構成することも好ましく、この場合には、蓋ケースのみを透明に構成することも好ましい実施形態である。
【００１１】
前記ケース本体に盗難防止タグを内装することが好ましい実施形態である。盗難防止タグは、蓋ケースに設けることも可能であるが、共用されるケース本体に内装することで、盗難防止展示ケースを用いた設備費を安くできるので好ましい。盗難防止タグとしては、例えば特許第４３２８４８１号公報に記載のような構成のものを採用できる。
【００１２】
前記盗難防止展示ケースに商品を収容した状態で、その重心位置に対応するケース本体又は蓋ケースの上面に、吊下げ用の引っ掛け具を着脱自在に取付可能となすことも好ましい実施形態である。この場合には、盗難防止展示ケースを陳列用のバーに引っ掛けたときに、盗難防止展示ケースが斜めになることを防止でき、盗難防止展示ケースに商品を収納した状態で、これを陳列用のバーに引っ掛けて、綺麗に整列させた状態で展示できるので好ましい。
【００１３】
前記蓋ケースの第２側部に自立設置用の脚部を形成することもできる。このように構成すると、盗難防止展示ケースを吊るして展示するだけでなく、棚等に縦でも横でも設置して展示することもでき、商品等に応じて展示形態を変更することができる。
【００１４】
前記蓋ケースを相互に嵌合させてスタッキング可能に構成することも好ましい実施形態である。本発明では、使用していない蓋ケースが複数個発生することが考えられるので、これら複数の蓋ケースをスタッキングすることで、その収納空間を小さく設定できる。
【発明の効果】
【００１５】
本発明に係る盗難防止展示ケースによれば、収納する商品の寸法に応じた深さの蓋ケースを用いることで、各種寸法の商品を盗難防止展示ケース内に収納して展示することができる。また盗難防止タグを盗難防止展示ケースに内装して、商品に付随させることができるので、商品にフィルムを巻き付けて自鳴式盗難防止タグを固定する場合と比較して、商品の盗難を効果的に防止しつつ、商品の外観を低下させることなく展示することができ、しかも商品の外箱や外袋の印刷面が見難くなったりすることも確実に防止できる。また、ロック手段を備えた高価なケース本体を共用し、安価に製作可能な蓋ケースを複数種類用意するので、盗難防止展示ケースの製作コストを抑えつつ各種寸法の商品を収納することができる。更に、ケース本体及び蓋ケースが硬質合成樹脂で構成され、カッターナイフ等で容易に切り裂くことができないので、商品パッケージがこじ開けられたり、切られたりして、商品そのものが中抜きされるという不具合も効果的に防止できる。更にまた、余程悪質な場合以外は、商品の盗難を効果的に防止できるので、現物を盗難防止展示ケースに収納して展示することが可能となり、商品の箱だけを展示したり、商品の引き換え券のみを展示したりする場合と比較して、利用者にとっては、商品を手にとって十分に観察、確認することが可能となり、また店員にとっても、商品の販売時に、別置きしている商品を倉庫等に取りに行く手間が省けるので、効率的である。更にまた、ＣＤやＤＶＤなどの盗難防止展示ケースと同様のロック手段を採用でき、ケース内の商品をお客さんに渡すときには、専用解除器等を用いて簡単にロックを解除できるので、フィルム等を引き剥がして盗難防止タグを取り除く場合と比較して、店員の負担を大幅に軽減できる。
【図面の簡単な説明】
【００１６】
【図１】盗難防止展示ケースの開蓋状態での斜視図
【図２】盗難防止展示ケースの閉蓋状態での斜視図
【図３】盗難防止展示ケースの閉蓋状態での斜視図
【図４】図３のIV-IV線断面図
【図５】盗難防止展示ケースのロック解除方法の説明図
【図６】（ａ）〜（ｃ）は盗難防止展示ケースのロック解除方法の説明図
【図７】同盗難防止展示ケースの開蓋状態での斜視図
【図８】他の蓋ケースを取り付けた盗難防止展示ケースの閉蓋状態での斜視図
【図９】図８のIX-IX線断面図
【図１０】保持片の位置を変更した他の構成の盗難防止展示ケースの開蓋状態での斜視図
【発明を実施するための形態】
【００１７】
次に、本発明の実施形態について、添付図面を参照しながら詳細に説明する。なお、本実施形態では、図１に記載の前後左右を基準に前後左右を定義して説明する。
【００１８】
図１〜図９に示すように、盗難防止展示ケース１は、前面側に開口部１１を有するケース本体１０と、後面側に開口部２１を有し、少なくとも後部がケース本体１０に内嵌可能な蓋ケース２０と、ケース本体１０に対する蓋ケース２０の取り外し方向への移動を係止する、ケース本体１０と蓋ケース２０の左側部（第１側部）に形成した係止部１２、２２と、ケース本体１０の内側へ出没可能な係止片３１を有するケース本体１０の右側部（第２側部）に設けたロック手段３０と、係止片３１に係合して、ケース本体１０に対する蓋ケース２０の取り外し方向への移動を規制する、蓋ケース２０の右側部に設けた係合部２３とを備え、蓋ケース２０として、深さの異なる複数種類の蓋ケース２０Ａ、２０Ｂを設け、盗難防止展示ケース１Ａ、１Ｂのように、収納する商品Ｇの寸法に応じて蓋ケース２０Ａ、２０Ｂを取替可能となしたものである。
【００１９】
盗難防止展示ケース１に好適に収納できる商品Ｇとしては、衣類のポケット等に容易に隠し持って店外へ持ち出される可能性の高い比較的小型な商品が好ましく、特に高価な商品や人気のある商品や売れ筋の商品など、盗難の被害を受け易い商品を収納することが好ましい。具体的には、音楽や映画やゲームソフト等を記憶させたＣＤやＤＶＤやメモリカード等の記録媒体商品や、ＵＳＢメモリやＳＤメモリ、二次電池やプリンタインクなどの小型電子部品、デジタルカメラやヘッドフォンなどの小型電子機器、時計や宝石などの貴金属、化粧品や医薬品などが好適である。
【００２０】
ケース本体１０は、方形状の後壁部１３とその外周縁から前方へ延びる左側壁部１４Ｌと右側壁部１４Ｒと上側壁部１４Ｕと下側壁部１４Ｄとを有し、前面側に開口部１１を形成した扁平な箱体で構成され、ポリスチレン(PS)やポリカーボネート(PC)、ポリアミド(PA)、ポリブチレンテレフタレート(PＢT)、ポリエチレンテレフタレート(PET)などの透明な硬質合成樹脂材料を用いて製作されている。特にケース本体１０は、共用する部材であることから、耐久性を重視して、強度剛性や耐損傷性に優れている素材で構成することが好ましい。なお、ケース本体１０は、収納する商品Ｇを極力見易くするため透明に構成することが好ましいが不透明な素材で構成することも可能である。
【００２１】
ケース本体１０には盗難防止タグ４０が内装されている。この盗難防止タグ４０は、例えば特許第４３２８４８１号公報に記載のような周知の構成のもので、店の出入口に設置の検出装置（図示略）により、盗難防止タグ４０の通過を検出して、店員に通報可能となしたものである。盗難防止タグ４０をケース本体１０内に固定するため、ケース本体１０の左側壁部１４Ｌの上部と下部には内側へ突出する保持片１５が設けられ、上側の保持片１５と後壁部１３間には盗難防止タグ４０のタグ本体４１が保持されている。盗難防止タグ４０には方形枠状のフィルム体４２により保形されたアンテナ線４３が設けられ、このアンテナ線４３をケース本体１０の後壁部１３の前側において枠状の側部に沿って配置することで、後壁部１３の面を含む面内方向への盗難防止タグ４０の移動が規制されるように構成されている。なお、タグ本体４１の取付位置は任意に設定可能で、例えば図１０に示す本体ケース１０Ａのように、保持片１５を省略して、ケース本体１０の左側壁部１４Ｌの高さ方向の途中部に内側へ突出するコ字状の保持片１５Ａを設け、この保持片１５Ａと後壁部１３間にタグ本体４１を保持させてもよい。この場合には、保持片１５Ａが、後述する角孔状の取付孔２６に対応する位置に配置されるので、取付孔２６からドライバー等を挿入して、アンテナ線４３を切断するという不正行為を防止できる。ただし、盗難防止タグ４０としては、検出装置との協働により盗難を報知可能なものであれば任意の構成のものを採用することができる。
【００２２】
ケース本体１０の後壁部１３には突き出し孔１６が形成され、この突き出し孔１６に指を挿入して盗難防止展示ケース１に収納した商品Ｇを取り出したり、蓋ケース２０を取り外したりできるように構成されている。
【００２３】
蓋ケース２０Ａは、図１〜図４に示すように、方形状の前壁部２４Ａとその外周縁から後方へ延びる左側壁部２５ＡＬと右側壁部２５ＡＲと上側壁部２５ＡＵと下側壁部２５ＡＤとを有し、後面側に開口部２１Ａを形成した箱体で構成され、ケース本体１０と同様に、ポリスチレン(PS)やポリカーボネート(PC)、ポリアミド(PA)、ポリブチレンテレフタレート(PＢT)、ポリエチレンテレフタレート(PET)などの透明な硬質合成樹脂材料を用いて製作されている。特に収納する商品Ｇを見易くするため光透過性に優れ、しかも刃物等で容易に切り裂き不能な素材で構成することが好ましい。蓋ケース２０Ａは、ケース本体１０と同じ素材で構成することも可能であるし、異種素材で構成することも可能である。
【００２４】
蓋ケース２０Ａの上下方向及び左右方向の寸法は、蓋ケース２０Ａの後部をケース本体１０に略隙間なく着脱自在に内嵌できる寸法に設定され、蓋ケース２０Ａの前後方向の寸法は、ケース本体１０の前後方向の深さよりも大きく設定され、蓋ケース２０Ａの後部をケース本体１０に内嵌させて、ケース本体１０に蓋ケース２０Ａを結合させた状態で、蓋ケース２０Ａの前部がケース本体１０から前方へ突出するように構成されている。蓋ケース２０Ａの左側壁部２５ＡＬの上下両端部と、下側壁部２５ＡＤの左右両端部には脚部２７が突出状に形成され、左側壁部２５ＡＬ又は下側壁部２５ＡＤを下側にして盗難防止展示ケース１を縦向きに設置できるように構成されている。蓋ケース２０Ａは、例えば深さ方向の１／３〜２／３を相互に嵌合させてスタッキング可能に構成し、積み重ねた状態での収納空間を少なくすることも好ましい。
【００２５】
蓋ケース２０Ｂは、図７〜図９に示すように、方形状の前壁部２４Ｂとその外周縁から後方へ延びる右側壁部２５ＢＲと上側壁部２５ＢＵと下側壁部２５ＢＤとを有し、後面側に開口部２１Ｂを形成した扁平な箱体で構成され、蓋ケース２０Ａと同じ素材で構成されている。なお、蓋ケース２０Ｂでは、商品Ｇの出し入れを円滑に行なうため、左側壁部を省略したが、蓋ケース２０Ａと同様に左側壁部を設けることも可能である。
【００２６】
蓋ケース２０Ｂの上下方向及び左右方向の寸法は、ケース本体１０に略隙間なく着脱自在に内嵌できる寸法に設定され、蓋ケース２０Ｂの前後方向の寸法は、ケース本体１０の前後方向の深さと略同じに設定され、蓋ケース２０Ｂ全体がケース本体１０内に収容されるように構成されている。
【００２７】
ケース本体１０の左側壁部１４Ｌと蓋ケース２０Ａの左側壁部２５ＡＬ、ケース本体１０の上側壁部１４Ｕと蓋ケース２０Ａの上側壁部２５ＡＵには、吊りピース４５を着脱自在に取付可能な角孔状の取付孔２６が、盗難防止展示ケース１に商品Ｇを収納した状態での重心位置に略対応させて形成され、収納する商品Ｇや使用する蓋ケース２０などに応じて吊りピース４５の取り付け位置を変更することで、盗難防止展示ケース１を安定性良く陳列棚等のバー（図示略）に吊下げることができるように構成されている。吊りピース４５は、図２に示すように、合成樹脂板をＵ字状に湾曲させ、両端近傍部に１対のスリット４６を介して係止部４７を形成したもので、吊りピース４５を摘んで、両係止部４７を接近させた状態で、両係止部４７を取付孔２６に挿入し、その後、吊りピース４５を９０度回転させて、取付孔２６の口縁部をスリット４６に嵌合させることにより、ケース本体１０又は蓋ケース２０に着脱自在に取り付けられている。なお、本実施の形態のように、吊りピース４５を外側から着脱できるように構成すると、吊りピース４５の取付位置の変更時における操作性は向上できるが、吊りピース４５の紛失や盗難等の問題が発生する可能性があるので、ケース本体１０や蓋ケース２０Ａの内側からのみ着脱できるように構成することも好ましい実施の形態である。
【００２８】
次に、ケース本体１０に対して蓋ケース２０Ａ及び蓋ケース２０Ｂを取替可能に嵌合固定するための取付構造について説明する。
【００２９】
先ず、ケース本体１０に対する蓋ケース２０Ａの取付構造について説明すると、図１〜図４に示すように、ケース本体１０の左側壁部１４Ｌの前端部には開口部１１の内側へ突出する係止部１２が左側壁部１４Ｌの略全長にわたって設けられている。蓋ケース２０Ａの左側壁部２５ＡＬの後端部は他の側壁部の後端部よりもケース本体１０の略深さ分だけ前方に配置され、左側壁部２５ＡＬの後端部には左方へ突出する係止部２２Ａが左側壁部２５ＡＬの略全長にわたって形成されている。そして、蓋ケース２０Ａの左側部の後部をケース本体１０の左側部内に差し込んで、蓋ケース２０Ａの後部をケース本体１０に内嵌させることで、ケース本体１０の係止部１２を蓋ケース２０Ａの係止部２２Ａの前側に配置させて、ケース本体１０に対する蓋ケース２０の左側部の前方への移動を両係止部１２、２２Ａにより係止するように構成されている。
【００３０】
ケース本体１０の右側壁部１４Ｒにはケース本体１０の内側へ出没可能な係止片３１を有するロック手段３０が設けられ、蓋ケース２０Ａの右側壁部２５ＡＲの下半部には係止片３１に係合して、ケース本体１０に対する蓋ケース２０Ａの取り外し方向への移動を規制するスリットからなる係合部２３Ａが形成されている。
【００３１】
ロック手段３０は、ケース本体１０の右側壁部１４Ｒの下半前部に突出状に設けたガイド突部３２と、ガイド突部３２内に前面を開口させて上下方向に形成した袋溝状のガイド溝３３と、ケース本体１０の開口部１１内に出没可能な係止片３１を有し、係止片３１がケース本体１０の開口部１１内に突出した図３に図示のロック位置と、係止片３１がケース本体１０の開口部１１外へ後退した図１に図示のアンロック位置とに、ガイド溝３３に沿って上下方向にのみ移動自在に案内されるスライダー３４と、下部がスライダー３４の左右両側に相互に間隔をあけて固定され、上部がスライダー３４から上方へ突出する１対の板バネ３５とを備えた周知の構成のものである。
【００３２】
このロック手段３０では、ケース本体１０に蓋ケース２０の後部を内嵌させた状態で、図６（ｃ）に示す状態から、スライダー３４を上方のロック位置へ移動させることで、係止片３１が蓋ケース２０の係合部２３に嵌合して、ケース本体１０に対して蓋ケース２０を取り外し不能に固定できる。また、この状態で、両板バネ３５の上端部の規制部３５ａがガイド溝３３の上端部に形成した係合凹部３３ａに係合して、スライダー３４は、図３に示すアンロック位置側へ移動しないようにロック位置に保持される。
【００３３】
一方、ロックを解除するには、図５、図６（ａ）に示すように、ロック手段３０のガイド突部３２を解除装置３６の縦壁３７に形成したガイド溝３７ａの上部に嵌合させて、盗難防止展示ケース１を下方へ移動させ、解除装置３６に立設した解除ロッド３８をスライダー３４の挿通孔３４ａに挿入する。これにより、解除ロッド３８の先端部の永久磁石３９が１対の板バネ３５間に挿入されて、板バネ３５の先端部が永久磁石３９に密着して、板バネ３５の規制部３５ａがケース本体１０の係合凹部３３ａから離脱する。そして、この状態で図６（ｂ）に示すように、盗難防止展示ケース１を上方へ移動させる、永久磁石３９に板バネ３５が吸着保持された状態で、解除ロッド３８とともに板バネ３５及びスライダー３４が相対的に下方へ移動し、スライダー３４の係止片３１が蓋ケース２０Ａの係合部２３Ａから離脱して、図６（ｃ）に示すように、ロックが解除され、ケース本体１０から蓋ケース２０Ａを取り外すことができるようになる。
【００３４】
次に、ケース本体１０に対する蓋ケース２０Ｂの取付構造について説明すると、図７〜図９に示すように、蓋ケース２０Ｂの前壁部２４Ｂの左側部には係止部２２Ｂが形成され、蓋ケース２０Ｂの左側部の後部をケース本体１０の左側部内に差し込んで、蓋ケース２０Ｂをケース本体１０に内嵌させることで、ケース本体１０の係止部１２を蓋ケース２０Ｂの係止部２２Ｂの前側に配置させて、ケース本体１０に対する蓋ケース２０Ｂの左側部の前方への移動を両係止部１２、２２Ｂにより係止できるように構成されている。蓋ケース２０Ｂの前壁部２４Ｂの右側部の下半部には係合部２３Ｂが形成され、ロック位置においてロック手段３０の係止片３１が蓋ケース２０Ｂの係合部２３Ｂの前側に配置されることで、ケース本体１０に内嵌させた蓋ケース２０Ｂの取り外し方向への移動が規制されるように構成されている。
【００３５】
この盗難防止展示ケース１によれば、収納する商品Ｇの寸法に応じた深さの蓋ケース２０Ａ又は蓋ケース２０Ｂを用いることで、各種寸法の商品Ｇを盗難防止展示ケース１内に収納して展示することができる。また盗難防止タグ４０を盗難防止展示ケース１に内装して、商品Ｇに付随させているので、商品Ｇにフィルムを巻き付けて自鳴式盗難防止タグを固定する場合と比較して、商品Ｇの盗難を効果的に防止しつつ、商品Ｇの外観を低下させることなく展示することができ、しかも商品Ｇの外箱や外袋の印刷面が見難くなったりすることも確実に防止できる。また、ロック手段３０を備えた高価なケース本体１０を共用し、安価に製作可能な蓋ケース２０を複数種類用意するので、盗難防止展示ケース１の製作コストを抑えつつ各種寸法の商品Ｇを収納することができる。更に、ケース本体１０及び蓋ケース２０が硬質合成樹脂で構成され、カッターナイフ等で容易に切り裂くことができないので、商品Ｇのパッケージがこじ開けられたり、切られたりして、商品Ｇそのものが中抜きされるという不具合も効果的に防止できる。更にまた、余程悪質な場合以外は、商品Ｇの盗難を効果的に防止できるので、現物を盗難防止展示ケース１に収納して展示することが可能となり、商品Ｇの箱だけを展示したり、商品Ｇの引き換え券のみを展示したりする場合と比較して、利用者にとっては、商品Ｇを手にとって十分に観察、確認することが可能となり、また店員にとっても、商品Ｇの販売時に、別置きしている商品Ｇを倉庫等に取りに行く手間が省けるので、効率的である。更にまた、ＣＤやＤＶＤなどの盗難防止展示ケース１と同様の周知のロック手段を採用でき、盗難防止展示ケース１内の商品Ｇをお客さんに渡すときには、解除装置３６を用いて簡単にロックを解除できるので、フィルム等を引き剥がして盗難防止タグを取り除く場合と比較して、店員の負担を大幅に軽減できる。
【００３６】
なお、ケース本体１０に対する蓋ケースの取付構造としては、前後方向の寸法（深さ）の異なる蓋ケース２０を着脱自在に固定でき、しかもケース本体１０に対して蓋ケース２０を取り付けた状態で、容易に取り外すことができないように施錠可能なものであれば、任意の構成のものを採用することができる。具体的には、本実施形態では、係止片３１を上下にスライドさせて、ケース本体１０の開口部１１内に係止片３１が突出するロック位置と、ケース本体１０の開口部１１外に係止片３１が後退するアンロック位置とに切換え可能なロック手段３０を用いたが、ケース本体１０から蓋ケース２０を容易に取り外せないように施錠可能なものであれば、係止片を左右にスライドさせてロック位置とアンロック位置とに切換え可能に構成したものや、係止片を回動させてロック位置とアンロック位置とに切換え可能に構成したものなど、種々の形態のロック手段を採用することができる。また、ケース本体１０の係止部１２と蓋ケース２０の係止部２２の係止構造を、前述した以外の凹凸嵌合などの係止構造に変更することも可能である。また、ケース本体１０としては、ＣＤやＤＶＤなどの記憶媒体商品を直接的に収納するように構成した既存の盗難防止ケースをそのまま利用することもできる。ロック手段３０は、ケース本体１０の右側壁部１４Ｒに設けたが、それ以外の側壁部に設けることも可能である。
【００３７】
更に、蓋ケース２０として、深さの異なるものを３種類以上設けることもできる。この場合には、蓋ケース２０Ａにおける前後方向の長さ（深さ）のみを変更した複数の種類の蓋ケース２０を設けることになる。ただし、このように蓋ケース２０Ａにおける前後方向の長さ（深さ）のみを変更した複数の種類の蓋ケース２０を設ける場合には、蓋ケース２０Ｂは省略することも可能である。
【００３８】
以上、本発明の実施形態について説明したが、本発明はこうした前述した実施形態に何ら限定されるものではなく、本発明の要旨を逸脱しない範囲において構成を変更し得ることは勿論である。
【符号の説明】
【００３９】
Ｇ      商品                １      盗難防止展示ケース
１Ａ    盗難防止展示ケース  １Ｂ    盗難防止展示ケース
１０    ケース本体          １１    開口部
１２    係止部              １３    後壁部
１４Ｌ  左側壁部            １４Ｒ  右側壁部
１４Ｕ  上側壁部            １４Ｄ  下側壁部
１５    保持片              １６    突き出し孔
２０    蓋ケース            ２０Ａ  蓋ケース
２０Ｂ  蓋ケース
２１    開口部              ２１Ａ  開口部
２１Ｂ  開口部
２２    係止部              ２２Ａ  係止部
２２Ｂ  係止部
２３    係合部              ２３Ａ  係合部
２３Ｂ  係合部
２４Ａ  前壁部              ２４Ｂ  前壁部
２５ＡＤ    下側壁部        ２５ＡＬ    左側壁部
２５ＡＲ    右側壁部        ２５ＡＵ    上側壁部
２５ＢＤ    下側壁部        ２５ＢＲ    右側壁部
２５ＢＵ    上側壁部
２６    取付孔              ２７    脚部
３０    ロック手段          ３１    係止片
３２    ガイド突部          ３３    ガイド溝
３３ａ  係合凹部            ３４    スライダー
３４ａ  挿通孔              ３５    板バネ
３５ａ  規制部              ３６    解除装置
３７    縦壁                ３７ａ  ガイド溝
３８    解除ロッド          ３９    永久磁石
４０    盗難防止タグ        ４１    タグ本体
４２    フィルム体          ４３    アンテナ線
４５    吊りピース          ４６    スリット
４７    係止部
１０Ａ  ケース本体          １５Ａ  保持片
【図１】
2011218079.tif 000003
【図２】
2011218079.tif 000004
【図３】
2011218079.tif 000005
【図４】
2011218079.tif 000006
【図５】
2011218079.tif 000007
【図６】
2011218079.tif 000008
【図７】
2011218079.tif 000009
【図８】
2011218079.tif 000010
【図９】
2011218079.tif 000011
【図１０】
2011218079.tif 000012